(57)【特許請求の範囲】
【請求項１】
軟質材料製の第一部材と硬質材料製の第二部材とを備え、第一部材は、キャップ状に成形されて、その内面側に環状溝を画成する弾性リップ壁を形成すると共に、外面側に環状溝と連通する排水口を形成し、第二部材は、円筒状に成形されて、その端縁に上記第一部材の環状溝に係止するフランジを形成すると共に、該フランジ側に上記排水口と連通する排水通路を画成して、該排水通路内に逆流防止壁を形成する一方、その周壁に車体パネル側に開設された水抜孔の孔縁に係止する係止脚を形成したことを特徴とする水抜きプラグ。
【請求項２】
第二部材の係止脚が水抜孔に対するセンタリング用とロック用の２種類からなることを特徴とする請求項１記載の水抜きプラグ。
【請求項３】
第一部材の弾性リップ壁が二重のシール構造となっていることを特徴とする請求項１乃至請求項２のいずれかに記載の水抜きプラグ。
【請求項４】
第一部材の中央部に自動車屋根部からの雨水を排水する配管を通す貫通孔を形成したことを特徴とする請求項１乃至請求項３のいずれかに記載の水抜きプラグ。
【請求項５】
配管に連結されるコネクタを貫通孔に保持して、該コネクタで自動車屋根部からの雨水の排水方向を規制することを特徴とする請求項４記載の水抜きプラグ。
【請求項６】
コネクタと第二部材との間に、回り止め手段と抜け止め手段とを設けたことを特徴とする請求項５記載の水抜きプラグ。
【発明の詳細な説明】
【０００１】
【発明の属する技術分野】
本発明は、自動車の袋状部を構成する車体パネルの内側に侵入した雨水を排水する水抜きプラグの改良に関するものである。
【０００２】
【従来の技術】
従来のこの種水抜きプラグとして、特公平２−３０９１４号公報に示すものが存する。
該従来のプラグは、具体的には図示しないが、軟質なゴム材料で一体成形されて、車体パネルに開設された一対の拡径部を有する水抜孔に嵌着するプラグ本体を備え、該プラグ本体の内面側に上記水抜孔の孔縁に係止する弾性リブ壁を形成して、当該弾性リブ壁の上記一方の拡径部と対応する部分に位置決め突起を形成し、弾性リブ壁の他方の拡径部と対応する部分を切り欠くと共に、該切り欠き部分から半径方向にスカート片を一体に延設し、当該スカート片の内面側に一端が上記他方の拡径部と連通し他端が外部と連通する排水通路を画成して、当該排水通路内に逆流防止壁を形成する構成となっている。
【０００３】
そして、実際の使用に際しては、車体パネルに開設された水抜孔に弾性リブ壁を介してプラグ本体を嵌着すれば、車体パネルの内側に侵入した雨水を他方の拡径部からスカート片の排水通路を通って外部に排水することが可能となるので、これにより、車体パネルの内側に侵入した雨水を自動的に水抜きできる。又、逆に、車体外部から泥水等が排水通路内に逆流した場合には、上記した逆流防止壁の存在で、その侵入を防止することが可能となる。
【０００４】
【発明が解決しようとする課題】
然し乍ら、従来の水抜きプラグにあって、そのプラグ本体を車体パネルの水抜孔に嵌着する場合には、そのゴム材料の軟質を利用して、プラグ本体を無理矢理変形させながら嵌着しなければならないので、これだけでも、大変な作業が強いられることとなるが、これに加えて、水抜孔の各拡径部に対して位置決め突起と排水通路の開口とを一致させなければならないで、作業が一層大変となることは否定できなかった。
【０００５】
【課題を解決するための手段】
本発明は、斯かる従来の水抜きプラグが抱える課題を有効に解決するために開発されたもので、請求項１記載の発明は、軟質材料製の第一部材と硬質材料製の第二部材とを備え、第一部材は、キャップ状に成形されて、その内面側に環状溝を画成する弾性リップ壁を形成すると共に、外面側に環状溝と連通する排水口を形成し、第二部材は、円筒状に成形されて、その端縁に上記第一部材の環状溝に係止するフランジを形成すると共に、該フランジ側に上記排水口と連通する排水通路を画成して、該排水通路内に逆流防止壁を形成する一方、その周壁に車体パネル側に開設された水抜孔の孔縁に係止する係止脚を形成する構成を採用した。
【０００６】
請求項２記載の発明は、請求項１を前提として、第二部材の係止脚が水抜孔に対するセンタリング用とロック用の２種類からなる構成を採用した。
【０００７】
請求項３記載の発明は、請求項１乃至請求項２を前提として、第一部材の弾性リップ壁が二重のシール構造となっている構成を採用した。
【０００８】
請求項４記載の発明は、請求項１乃至請求項３を前提として、第一部材の中央部に自動車屋根部からの雨水を排水する配管を通す貫通孔を形成する構成を採用した。
【０００９】
請求項５記載の発明は、請求項４を前提として、配管に連結されるコネクタを貫通孔に保持して、該コネクタで自動車屋根部からの雨水の排水方向を規制する構成を採用した。
【００１０】
請求項６記載の発明は、請求項５を前提として、コネクタと第二部材との間に、回り止め手段と抜け止め手段とを設ける構成を採用した。
【００１１】
依って、請求項１記載の発明にあっては、水抜きプラグ自体を軟質材料製の第一部材と硬質材料製の第二部材の２部品から構成して、硬質材料製の第二部材をその係止脚を利用して車体パネルの水抜孔に嵌着することが可能となるので、水抜きプラグの水抜孔に対する嵌着作業が頗る容易となる。又、硬質材料製の第二部材のフランジ側に排水通路を画成して、当該排水通路に逆流防止壁を形成したので、逆流防止壁は押し潰されることなく、車体外部から泥水等が逆流することを確実に防止できる。
【００１２】
請求項２記載の発明にあっては、第二部材の係止脚がセンタリング用とロック用の２種類からなるので、第二部材を車体パネルの水抜孔に正しい姿勢をもってワンタッチで嵌着できる。請求項３記載の発明にあっては、車体パネル面に接触する弾性リップ壁が二重のシール構造となっているので、水密性に優れることとなる。請求項４記載の発明にあっては、車体パネルの内側に侵入した雨水に加えて、自動車屋根部からの雨水をもその配管を介して同時に排水することが可能となるので、極めて合理的である。
【００１３】
請求項５記載の発明にあっては、例えば、コネクタによる排水方向を車体後方や車体内側に規制することにより、コネクタの内部に走行風が吹き込んで排水に悪影響を与えたり、外板との不要な干渉を回避できる。請求項６記載の発明にあっては、回り止め手段によって、コネクタの排水方向が一定に確保され、抜け止め手段によって、コネクタの水抜きプラグからの抜け外れを防止できる。
【００１４】
【発明の実施の形態】
以下、本発明を図示する好適な実施の形態に基づいて詳述すれば、該実施の形態に係る水抜きプラグは、図１に示す如く、基本的には、ゴム等の軟質材料で一体成形された第一部材１と、ポリアセタール等の硬質材料で一体成形された第二部材１１とから成るものであるが、特に、本実施の形態にあっては、この第一・第二部材１・１１に対して、自動車のサンルーフ側に溜まった雨水を排水するドレンホースに連結されるコネクタ３１を有機的に組み合わせたものである。
【００１５】
そこで、まず、軟質材料製の第一部材１から説明すると、図２にも示す如く、キャップ状に成形されて、その基板２の内面側周縁に外側弾性リップ壁３と内側弾性リップ壁４を形成して、特に、内側弾性リップ壁４と基板２間に後述する第二部材１１の外向フランジ１３を係止する環状溝５を画成すると共に、外面側に該環状溝５と連通する１個の排水口６を形成して、該排水口６と対応する内側弾性リップ壁４の一部を切欠し、且つ、基板２の中央部に後述するコネクタ３１の排水ノズル部３５を通す貫通孔７を形成する構成となっている。尚、図中、８は位置決めの目印となる突起である。
【００１６】
硬質材料製の第二部材１１は、図３にも示す如く、円筒状に成形されて、その基体１２の一端縁側に上記環状溝５内に係止する外向フランジ１３を形成すると共に、基体１２の周壁に先端外面がテーパー状を呈する一対の係止脚１４と、先端外面が段差状を呈する一対の係止脚１５を夫々スリット１６を介して対向する状態に形成して、当該基体１２を後述する車体パネルＰの水抜孔Ｈに嵌着すれば、まず、一方の対向する係止脚１４がそのテーパー状先端外面を水抜孔Ｈの孔縁に係止して、基体１２をセンタリングすると同時に、他方の対向する係止脚１５がその段差状先端外面を水抜孔Ｈの孔縁に強固に係止して、基体１２を水抜孔Ｈにロックできる構成となっている。
【００１７】
又、この第二部材１１は、円筒状を呈する基体１２の外面に外方に突出する厚肉部１７を設け、該厚肉部１７の外向フランジ１３側上面に一段窪んだ排水通路１８を画成して、当該排水通路１８内に逆流防止壁１９を形成する一方、厚肉部１７の下部に後述するコネクタ３１の鍔部３３に弾性的に係止する抜け止め爪２０を形成すると共に、厚肉部１７と対向する基体１２の内面に後述するコネクタ３１の回り止め凹部３６に嵌合する回り止め凸部２１を形成する構成となっている。
【００１８】
コネクタ３１は、その円筒状本体３２の外周に上記抜け止め爪２０を係止する環状の鍔部３３を形成する一方、一端側にドレンホースを連結する接続口部３４を延設すると共に、他端側にくの字状に折曲する排水ノズル部３５を延設し、且つ、円筒状本体３２の軸方向に上記回り止め凸部２１と嵌合する回り止め凹部３６を形成する構成となっており、円筒状本体３２は第二部材１１の基体１２の径よりも若干小径となっている。
【００１９】
車体パネルＰに開設される水抜孔Ｈは、図４に示す如く、上記した各係止脚１４・１５が係入できる大きさの丸形状を呈して、その孔縁に第二部材１１の厚肉部１７を位置決めして収納する１個の拡径部Ｈａを形成する構成となっている。
【００２０】
依って、本実施の形態に係る水抜きプラグの下では、まず、第一部材１の内部に画成される環状溝５内に第二部材１１の外向フランジ１３を係止することにより、第一部材１と第二部材１１との一体化を図るものであるが、この場合においては、図５に示す如く、第二部材１１側の排水通路１８が第一部材１の排水口６と一致する状態に係止するものとする。
【００２１】
そこで、今度は、接続口部３４側にドレンホース４１を連結したコネクタ３１の排水ノズル部３５を第一部材１の貫通孔７内に臨ましめながら、コネクタ３１側の回り止め凹部３６と第二部材１１側の回り止め凸部２１を一致させて、コネクタ３１の円筒状本体３２を第二部材１１の基体１２内部に押し込むと、図６に示す如く、コネクタ３１の円筒状本体３２に形成されている鍔部３３に第二部材１１の厚肉部１７に設けられている抜け止め爪２０が弾性的に係止するので、これにより、コネクタ３１は抜け外れることなく第二部材１１に保持されるが、この状態にあっては、上記回り止め凸部２１と回り止め凹部３６とが嵌合するので、コネクタ３１の排水ノズル部３５の位置は一定に確保されることとなる。
【００２２】
従って、後は、斯かる状態のまま、車体パネルＰの水抜孔Ｈにコネクタ３１を挿通する状態を得て、第二部材１１の厚肉部１７を水抜孔Ｈの拡径部Ｈａに臨ましめながら、第二部材１１の基体１２を水抜孔Ｈ内に差し込むと、第二部材１１に形成されている一方の対向する係止脚１４がそのテーパー状先端外面を水抜孔Ｈの孔縁に係止して第二部材１１の基体１２をセンタリングすると同時に、他方の対向する係止脚１５がその段差状先端外面を水抜孔Ｈの孔縁に強固に係止するので、これにより、図７に示す如く、水抜きプラグ自体がコネクタ３１を伴って、車体パネルＰの水抜孔Ｈに極めて簡単に嵌着されることとなる。尚、この場合には、図示する如く、軟質材料製の第一部材１の外側弾性リップ壁３と内側弾性リップ壁４が二重のシール構造をもって車体パネルＰ面に弾性的に接触することとなるので、確実な水密状態が得られることとなる。
【００２３】
そして、斯かる状態にあっては、自動車の袋状部を構成する車体パネルＰの内側に侵入した雨水は、水抜きプラグの第二部材１１の外向フランジ１３側に画成された排水通路１８を通って第一部材１の排水口６から外部に排水され、自動車屋根部（サンルーフ）に溜まった雨水は、ドレンホース４１を介して水抜きプラグに保持されたコネクタ３１から外部に排水されることとなるので、極めて合理的である。
【００２４】
尚、この場合に、回り止め凹部３６と回り止め凸部２１の作用で、コネクタ３１の排水ノズル部３５を車体の後方側に向ければ、走行風が排水ノズル部３５内に入り込まないので、排水の邪魔とならず、又、図８に示す如く、車体の内側に向ければ、マッドガード等の外板４２と干渉せずに排水できるので、いずれにしても、確実な排水が得られることとなる。
【００２５】
又、車体外部から泥水等が排水口６を経て排水通路１８内に逆流した場合には、従来と同様に、逆流防止壁１９の存在で、その侵入を防止することとなるが、この逆流防止壁１９は硬質材料製の第二部材１１側に形成されているので、押し潰されて、その機能が発揮できなくなる心配がない。
【００２６】
【発明の効果】
以上の如く、本発明は、上記構成の採用により、請求項１の下では、水抜きプラグ自体を軟質材料製の第一部材と硬質材料製の第二部材の２部品から構成して、硬質材料製の第二部材をその係止脚を利用して車体パネルの水抜孔に嵌着することが可能となるので、水抜きプラグの水抜孔に対する嵌着作業が頗る容易となる。又、硬質材料製の第二部材のフランジ側に排水通路を画成して、当該排水通路に逆流防止壁を形成したので、逆流防止壁は押し潰されることなく、車体外部から泥水等が逆流することを確実に防止できる。
【００２７】
請求項２の下では、第二部材の係止脚がセンタリング用とロック用の２種類からなるので、第二部材を車体パネルの水抜孔に正しい姿勢をもってワンタッチで嵌着できる。請求項３の下では、車体パネル面に接触する弾性リップ壁が二重のシール構造となっているので、水密性に優れることとなる。請求項４の下では、車体パネルの内側に侵入した雨水に加えて、自動車屋根部からの雨水をもその配管を介して同時に排水することが可能となるので、極めて合理的である。
【００２８】
請求項５の下では、例えば、コネクタによる排水方向を車体後方や車体内側に規制することにより、コネクタの内部に走行風が吹き込んで排水に悪影響を与えたり、外板との不要な干渉を回避できる。請求項６の下では、回り止め手段によって、コネクタの排水方向が一定に確保され、抜け止め手段によって、コネクタの水抜きプラグからの抜け外れを防止できる。
【図面の簡単な説明】
【図１】本発明の実施の形態に係る水抜きプラグをコネクタとの関係をもって示す分解斜視図である。
【図２】図１のＡ−Ａ線断面図である。
【図３】（Ａ）は図１のＢ−Ｂ線断面図、（Ｂ）は図１のＣ−Ｃ線断面図、（Ｃ）は図１のＤ−Ｄ線断面図である。
【図４】車体パネルに開設される水抜孔の形状を示す要部斜視図である。
【図５】第一部材と第二部材とを一体化した状態を示す断面図である。
【図６】水抜きプラグにコネクタを保持した状態を示す断面図である。
【図７】水抜きプラグをコネクタと一緒に車体パネルの水抜孔に嵌着した状態を示す断面図である。
【図８】コネクタで自動車屋根部からの雨水の排水方向を規制した一例を示す説明図である。
【符号の説明】
１    第一部材
２    基板
３    外側弾性リップ壁
４    内側弾性リップ壁
５    環状溝
６    排水口
７    貫通孔
８    突起
１１  第二部材
１２  基体
１３  外向フランジ
１４  一方の係止脚
１５  他方の係止脚
１６  スリット
１７  厚肉部
１８  排水通路
１９  逆流防止壁
２０  抜け止め爪（抜け止め手段）
２１  回り止め凸部（回り止め手段）
３１  コネクタ
３２  円筒状本体
３３  鍔部（抜け止め手段）
３４  接続口部
３５  排水ノズル部
３６  回り止め凹部（回り止め手段）
４１  ドレンホース
４２  外板
Ｐ    車体パネル
Ｈ    水抜孔
Ｈａ  拡径部
【図１】
0003604586.tif 000002
【図２】
0003604586.tif 000003
【図３】
0003604586.tif 000004
【図４】
0003604586.tif 000005
【図５】
0003604586.tif 000006
【図６】
0003604586.tif 000007
【図７】
0003604586.tif 000008
【図８】
0003604586.tif 000009